(57)【要約】【課題】建物の開口部の形状に制約を受けにくく且つ簡単な構造の止水装置を提供すること。【解決手段】階段部７を備えた開口部５を形成する側壁６に備わった浸水防止用袋体１と、該浸水防止用袋体１にエアーを吹き込むエアー吹き込み手段２と、よりなり、前記浸水防止用袋体１は、エアー吹き込み手段２からのエアーの吹き込みにより膨張し前記開口部５を閉鎖するものである止水装置。【効果】本発明の止水装置は、簡単な構造であるために設置が容易であり、また、建物の開口部の当接面の形状に制約を受け難く汎用性に富む。また、袋状であるために折り畳んで小さくすることができ、装置全体が小型化される。更にまた、装置や方法が簡単な構造や原理であるためにコスト的にも安く経済的である。【選択図】　図７
2004060348.tif 000002
【特許請求の範囲】
【請求項１】
階段部を備えた開口部を形成する側壁に備わった浸水防止用袋体と、該浸水防止用袋体にエアーを吹き込むエアー吹き込み手段と、よりなり、前記浸水防止用袋体は、エアー吹き込み手段からのエアーの吹き込みにより膨張し前記開口部を閉鎖するものであることを特徴とする止水装置。
【請求項２】
浸水防止用袋体が入り口と対向する側壁に備わっていることを特徴とする請求項１記載の止水装置。
【請求項３】
膨張時において浸水防止用袋体の開口部上方への膨出を規制するための押さえシート部材を設けたことを特徴とする請求項１記載の止水装置。
【請求項４】
膨張時において側壁に形成された通路口の内方への膨出を規制するための押さえシート部材を設けたことを特徴とする請求項１記載の止水装置。
【請求項５】
エアー吹き込み手段は、注入ボンベ又はブロアーであること特徴とする請求項１記載の止水装置。
【請求項６】
押さえシート部材は、階段部の入り口と対向する側壁に一端が固定され入り口部に他端が掛止されるものであることを特徴とする請求項２記載の止水装置。
【請求項７】
地下空間への入り口である開口部に対して、浸入水を阻止するための止水方法であって、開口部を形成する側壁に設けられた折り畳み状態の浸水防止用袋体に対してエアーを吹き込むことにより、折り畳み状態から浸水防止用袋体を膨張させ、開口部を閉鎖することを特徴とする止水方法。
【請求項８】
地下空間への入り口である開口部に対して、浸入水を阻止するための止水方法であって、開口部を形成する側壁に設けられた折り畳み状態の浸水防止用袋体に対してエアーを吹き込むことにより、折り畳み状態から浸水防止用袋体を膨張させ、前記開口部と側壁に開口された通路口を閉鎖することを特徴とする止水方法。
【請求項９】
エアーを吹き込む前に、開口部上方への膨出を規制するための押さえシート部材を張架することを特徴とする請求項７記載の止水方法。
【請求項１０】
エアーを吹き込む前に、側壁に形成された通路口の内方への膨出を規制するための押さえシート部材を張架させることを特徴とする請求項７記載の止水方法。
【請求項１１】
上方からの水圧を加えることにより、通路口をより確実に閉鎖することを特徴とする請求項８記載の止水方法。
【請求項１２】
建物の開口部が、地下室、地下鉄、地下街又は地下駐車場であることを特徴とする請求項７又は８記載の止水方法。
【発明の詳細な説明】
【０００１】
【発明の属する技術分野】
本発明は、水等の流入を防ぐために浸水防止用袋体を備えた止水装置及びそれを使った止水方法に関するものである。
【０００２】
【従来の技術】
従来から、特に建物が密集した市街地においては、土地の有効活用の観点から、地下空間の開発が盛んに行われていた。
そのため、地下空間への入口である開口部の数が多くあり、また、今後も増加することが予測される。
このような地下空間は、外部環境（天候や騒音等）に影響されにくく便利であるが、しかし、一方では台風や集中豪雨等による降水で大量の水が発生し、逃げ場を求めて流れ込む。
すなわち、その地下空間への開口部が浸水することで、大量の水等が地下空間に流入することになる。
【０００３】
そして、流入水を地下空間から排水する能力が不十分である場合には、地下空間全体が水浸しになる。
こうした問題を解決するため、その開口部の周囲に一定の大きさの土嚢１００を積み上げて壁を作り、流入水の浸水を防止する方法（止水方法）が行われてきた（例えば、図１３を参照）。
【０００４】
このような土嚢を使った旧来の止水方法は、設備投資も殆ど必要なく経済的であるが、しかし、土嚢自体は、内部に土砂等を充填して使用するために、一般に重量が重く、また嵩張って取り扱いが不便である。
さらに、自然災害時等（暴風雨等の天候）においては、例えば、足場が濁流中での運搬となるため危険でもある。
また、このような状況下で、土嚢の積み上げ作業を迅速に且つ効率良く行うには、かなり熟練を要する。
一方では、緊急時に対応するために多数の土嚢を建物の開口部付近の所定場所に常設しておく必要があり、保管場所自体の確保が難しい。
【０００５】
以上のようなことから、土嚢自体の取り扱いを改善するために内部に吸水性ポリマーを充填した土嚢が開発されている。
緊急使用時には、吸水性ポリマーが水を吸収することで膨張して体積および重量が増加し、土嚢としての機能を果たすものである。
この土嚢は、通常、水を吸収していない時は、軽量で且つコンパクトであることから可搬性がよく、保管時のスペースも、従来型土嚢に較べて少なくて済む利点がある。
しかし、自然災害等の緊急時の作業では、運搬が必要であり、また積み上げ作業に熟練を要する点では、旧来の土嚢と変わりはない。
【０００６】
これに対して運搬する個々の土嚢を使用しないで、水等の侵入を阻止する新しい方法も開発されている（特開２００１−１３２３２２号公開公報）。
すなわち、建物の開口部に止水壁を形成する装置を配備しておき、緊急時に作動させ流入水を阻止する方法である。
【０００７】
この止水装置は、止水壁とこれを押し上げるアクチュエータを建物入り口の通路口の床面に、通路全幅と通路の通行方向に延長した凹部に埋設した構造を有するものである。
止水時には、アクチュエータにより止水壁を建物の開口部の一部を塞ぐように立掛け、密接させることにより、開口部の一部分をほぼ遮断状態にすることができる。
【０００８】
しかし、このような止水装置は、構造が複雑で通路口の床面に止水装置を埋設しなければならず比較的大掛かりな工事が必要となる。
また、建物の開口部を構成する両側壁に対して、止水壁を水漏れが無いように密接させるには、止水壁の面が両側壁面に対して正確に合致するようにしなければならず当接面に精密な構造を必要とする。
また、開口部の形に合致した止水壁を個々の開口部に合わせて用意しなければならない。
【０００９】
【発明が解決しようとする課題】
本発明は、かかる実状を背景に、上記の問題点を克服するためになされたものである。
すなわち、本発明の目的は、建物の開口部の形状に制約を受けにくく且つ簡単な構造の止水装置を提供することである。
また、それを使った止水方法を提供することである。
【００１０】
【課題を解決するための手段】
かくして、本発明者は、このような課題背景に対して、鋭意研究を重ねた結果、内圧によって浸水防止用袋体を膨張させて開口部を遮断状態にすることで、従来の問題点を解決できることを見出し、この知見に基づいて本発明を完成させたものである。
【００１１】
即ち、本発明は、（１）、階段部を備えた開口部を形成する側壁に備わった浸水防止用袋体と、該浸水防止用袋体にエアーを吹き込むエアー吹き込み手段と、よりなり、前記浸水防止用袋体は、エアー吹き込み手段からのエアーの吹き込みにより膨張し前記開口部を閉鎖するものである止水装置に存する。
【００１２】
そして、（２）、浸水防止用袋体が入り口と対向する側壁に備わっている止水装置に存する。
【００１３】
そしてまた、（３）、膨張時において浸水防止用袋体の開口部上方への膨出を規制するための押さえシート部材を設けた止水装置存する。
【００１４】
そしてまた、（４）、膨張時において側壁に形成された通路口の内方への膨出を規制するための押さえシート部材を設けた止水装置に存する。
【００１５】
そしてまた、（５）、エアー吹き込み手段は、注入ボンベ又はブロアーである止水装置に存する。
【００１６】
そしてまた、（６）、押さえシート部材は、階段部の入り口と対向する側壁に一端が固定され入り口部に他端が掛止されるものである止水装置に存する。
【００１７】
そしてまた、（７）、地下空間への入り口である開口部に対して、浸入水を阻止するための止水方法であって、開口部を形成する側壁に設けられた折り畳み状態の浸水防止用袋体に対してエアーを吹き込むことにより、折り畳み状態から浸水防止用袋体を膨張させ、側壁に開口された通路口を閉鎖するに存する。
【００１８】
そしてまた、（８）、地下空間への入り口である開口部に対して、浸入水を阻止するための止水方法であって、開口部を形成する側壁に設けられた折り畳み状態の浸水防止用袋体に対してエアーを吹き込むことにより、折り畳み状態から浸水防止用袋体を膨張させ、前記開口部と側壁に開口された通路口を閉鎖する止水方法に存する。
【００１９】
そしてまた、（９）、エアーを吹き込む前に、開口部上方への膨出を規制するための押さえシート部材を張架させる止水方法に存する。
【００２０】
そしてまた、（１０）、エアーを吹き込む前に、側壁に形成された通路口の内方への膨出を規制するための押さえシート部材を張架させる止水方法に存する。
【００２１】
そしてまた、（１１）、上方からの水圧を加えることにより、通路口をより確実に閉鎖する止水方法に存する。
【００２２】
そしてまた、（１２）、建物の開口部が、地下室、地下鉄、地下街又は地下駐車場である止水方法に存する。
【００２３】
本発明は、この目的に沿ったものであれば、上記１〜６の中から選ばれた２つ以上を組み合わせた浸水装置や、上記７〜１２を組み合わせた止水方法の構成も当然採用可能である。
【００２４】
【発明の実施の形態】
【第１の実施の形態】
以下、本発明の実施の形態を説明する。
図１は、本発明の実施形態である、地下空間への開口部を形成する側壁に設置された止水装置を示す概略図であり、（Ａ）は正面図、（Ｂ）は側面図を示す。この止水装置Ａは、浸水防止用袋体１とそれにエアーを吹き込むためのエアー吹き込み手段２とよりなる。
【００２５】
この浸水防止用袋体１は、折り畳んだ状態からエアー等を内部に注入することにより、内圧を上昇させ膨張展開させることが可能となっている。
そのため、浸水防止用袋体１の材料としては、エアー等か通気しない可撓性の材料（例えば、ゴムやターポリン、パラシュートクロス等）が使われるが、更に浸水時の止水壁として機能を果たすために十分水圧に耐えるだけの強度がある材料が好ましい。
【００２６】
例えば、材料を可撓性を保ったままの多層構造体とすることにより、破損に対して強くしたり、コーティングを施すことでエアー等を通気しないようにしたりする。
浸水防止用袋体１は、通常時、折畳んだ状態で拘束されて収納部４に収納されており、この収納部４は開口部５を形成する側壁に設置される。
【００２７】
例えば図２は、地下鉄への入り口の開口部を示す図であり、図３は、その開口部５を上方から見た図である。
入り口には開口部５が３つの側壁６Ａ，６Ｂ，６Ｃで形成されており、この側壁の底には階段部７（ここで階段部とは段がないスロープも含むものである）が設けられている。
階段部７の入り口とは対向する側の側壁６Ａには通路口６Ａ１が開口しており、階段部７の延長が水平な床部８となって通路口６Ａ１に続いている。
【００２８】
浸水防止用袋体１は、このように開口部５の階段部７の入り口側と対向する側壁６Ａに設置されている。
収納蓋４１を開けることで、浸水防止用袋体１は折畳み状態から開放されて膨張展開が可能な待機状態なる。
一方、エアー吹き込み手段２であるブロアーは、図示しないフアンを備えており外気を浸水防止用袋体内に送ることできる。
このブロアーは浸水防止用袋体１の両側に装備されている。
【００２９】
ところで、止水装置Ａは、膨張時において浸水防止用袋体１のある方向への膨出を防止するための押さえシート部材３を備えている。
ここでの押さえシート部材３Ａは、開口部上方への膨出を規制するためのもので水平方向に引き出し可能になっており、浸水防止用袋体１の設置側壁６Ａから該設置側壁と対向する階段部７の入り口下に渡すことが可能である。
【００３０】
この例では、押さえシート部材３Ａの先のフック３１Ａを階段部７に設けられた埋め込みアンカー３２Ａに掛止することで両者間に張架することができる。
一方、押さえシート部材３Ｂは、通路内への膨出を規制するためのものであり、垂直方向に引き出し可能になっており、浸水防止用袋体１の設置側壁６Ａから床部８に渡すことが可能である。
この場合も、押さえシート部材３Ｂの先のフック３１Ｂを床部８に設けられた埋め込みアンカー３２Ｂに掛止することで両者間に張架することができる。
図４は、浸水防止用袋体１が膨張展開する前、押さえシート部材３を張架した状態を示し、（Ａ）は、押さえシート部材３Ａを水平方向に引き出した状態、（Ｂ）は、押さえシート部材３Ｂを垂直方向に引き出した状態を示す。
【００３１】
ところで、浸水防止用袋体１を膨張展開させるためにはエアー吹き込み手段２であるブロアーによって、エアーを発生する。
ブロアーは浸水防止用袋体１の両側近傍に複数個（ここでは２個）設けられているため、一方のブロアーが故障しても他方のブロアーが作動して、エアー吹き込み手段２が確保されることとなる。
【００３２】
緊急時にはエアー吹き込み手段２が確実に作動しなければならないことから、好ましくはこのようにフェールセーフが採用される。
参考までに、エアー吹き込み手段２は並列システムとして構成することにより、信頼度Ｔが以下の式に示すように向上する。
Ｔ＝｛１−（１−α）（１−α）｝
（単体時のエアー吹き込み手段の信頼度；α）
例えば、αの信頼度を例えば０．９５とすると、エアー吹き込み手段２を並列システムとして構成した場合のエアー吹き込み手段全体の信頼度Ｔは０．９９７５となり、単体の場合に比べて信頼度が向上する。
なお、エアー吹き込み手段２としてブロアーの代わりに、注入ボンベ（例えば液体窒素入り等）を使ってエアーを発生する方法やエアーバックの如く爆発力を使った瞬時的なエアーブローを使う方法も採用可能である。
【００３３】
浸水防止用袋体１を膨張展開させるための吹き込み手段２、例えば、ブロアーや注入ボンベは、浸水防止用袋体１の両側以外のより離れた場所に配備して、これから流路管を介して浸水防止用袋体１にエアー導入するようにすることも可能である。
これらの注入ボンベやブロアー等の開閉や作動は、人手或いは感知センサー等により行うように構成することもできる。
【００３４】
以上、止水装置Ａの構造を述べたが、この止水装置Ａは、構造が簡単であることから、地下室、地下鉄、地下街又は縦坑等の開口部に、必要に応じて容易に設置することが可能である。
【００３５】
次に使用時における止水装置Ａの作動態様を述べる。
【００３６】
浸水防止用袋体１は、予め開口部５の形状を想定して作られている。
今、台風や暴風雨等に降雨量が増え道路から流れた溢れた水は、地下空間への入り口である開口部５に流入していく。
そして、水は、開口部５からより低い部分である地下空間へ流れ込むことになる。
このような状態にならないよう、水が流れ込む前の段階で、或いは流れ込んだ後速やかに、地下空間へ通じる開口部全体を遮断状態にしなければならない。
【００３７】
止水装置Ａを作動する前の初期状態では、浸水防止用袋体１は、収納部４に折畳み状態で収納されている（図５参照）。
そこで先ず、この収納部４の収納蓋４１を開けて折畳み状態にある浸水防止用袋体１を露出させる。
これで浸水防止用袋体１は、エアー吹き込み手段２からエアーの吹き込みにより膨張展開が可能な待機状態となる。
【００３８】
次に、浸水防止用袋体１の通路内への膨出を防止するために押さえシート部材３Ｂを通路口６Ａ１に張架する（図６参照）。
また浸水防止用袋体１の開口部上方への膨出を防止するために押さえシート部材３Ａを開口部５に張架する。
そして浸水防止用袋体１の両端に装備されたエアー吹き込み手段２である２台のブロアーを作動させる。
この作動によりエアーが浸水防止用袋体１の中に注入されて浸水防止用袋体１は膨張展開し始める（図７の鎖線参照）。
【００３９】
浸水防止用袋体１は、あらゆる方向に膨張展開を始めるが、建物の開口部５を構成している側壁６（６Ａ，６Ｂ，６Ｃ）、階段部７に対して圧接状態となり、また押さえシート部材３Ａにより、上方への膨張展開が規制される。
また、通路口６Ａ１に渡されている押さえシート部材３Ｂにより通路内への膨張展開が規制される。
この浸水防止用袋体内に更にエアーを吹き込んで加圧すると、浸水防止用袋体１は側壁６（６Ａ，６Ｂ，６Ｃ）、階段部７に対してより密接した状態となる（図７参照）。
これで止水装置Ａの作動が終了する。
【００４０】
【第２の実施の形態】
この実施の形態では、上方への突出を水圧により防止し、通路部への膨出を押さえシート部材３により防止するものである。
そのため、浸水防止用袋体１は、側壁６Ａの下方位置に設置することが好ましい。
ここでも通路口６Ａ１の内方への膨出するのを規制すべく押さえシート部材３Ｂが側壁６Ａに設けられているが、開口部上方への膨出するのを規制するための押さえシート部材３Ａは、必ずしも必要はない。
次に使用時における浸水防止用袋体１の作動態様を述べる。
先ず、止水装置Ａを作動する前の初期状態では、浸水防止用袋体１は、収納部４に折畳み状態で収納されており（図８参照）、収納蓋４１を外すことで膨張展開の待機状態となる。
【００４１】
次に、浸水防止用袋体１の通路内への膨出を防止するために押さえシート部材３Ｂを通路口上の側壁６Ａと階段下の床部８とに渡す（図９参照）。
この場合も、側壁６Ａに装備された押さえシート部材３Ｂを引きずり下ろして床部８の埋め込みアンカー３２Ｂに掛止する。
そして浸水防止用袋体１の両側に装備されたエアー吹き込み手段２である２台のブロアーを作動させる。
この作動によりエアーが浸水防止用袋体１の中に注入されて浸水防止用袋体１は膨張展開し始める（図１０鎖線参照）。
【００４２】
浸水防止用袋体１は、あらゆる方向に膨張展開を始めるが、建物の開口部５を構成している側壁６（６Ａ，６Ｂ，６Ｃ）、階段部７に対して圧接状態となり、また押さえシート部材３により、通路内への膨張展開が規制される（図１０）。この場合、積極的に開口部５から水を流入させて浸水防止用袋体１の上に浸水させる。
この水圧により、浸水防止用袋体１は側壁６（６Ａ，６Ｂ，６Ｃ）、階段部７に対してより密接した状態となり、押さえシート部材３Ｂによって通路内への膨出も防止される（図１１参照）。
【００４３】
【第３の実施の形態】
この実施の形態では、第１の実施の形態と同じように上方への突出を押さえシート部材３Ａで、また通路部への膨出を押さえシート部材３Ｂにより防止するものである。
この押さえシート部材３Ａのフック３１Ａ、及び押さえシート部材３Ｂのフック３１Ｂは、床部８の埋め込みアンカー３２Ｂ２及び埋め込みアンカー３２Ｂ１に掛合することができる。
次に使用時における浸水防止用袋体１の作動態様を述べる。
先ず、止水装置Ａを作動する前の初期状態では、浸水防止用袋体１は、収納部４に折畳み状態で収納されており（図１２参照）、収納蓋４１を外すことで膨張展開の待機状態となる。
【００４４】
次に、浸水防止用袋体１の通路内への膨出を防止するために押さえシート部材３Ｂを通路口上の側壁６Ａと階段下の床部８とに渡す（図１３参照）。
また、浸水防止用袋体１の開口部上方への膨出を防止するために押さえシート部材３Ｂを通路口上の側壁６Ａと階段下の床部８とに渡す（図１３参照）。
これらの場合も、側壁６Ａに装備された押さえシート部材３Ｂや押さえシート部材３Ａを引きずり下ろして床部８の埋め込みアンカー３２Ｂ１やアンカー３２Ｂ２に掛止する。
そして浸水防止用袋体１の両側に装備されたエアー吹き込み手段２である２台のブロアーを作動させる。
この作動によりエアーが浸水防止用袋体１の中に注入されて浸水防止用袋体１は膨張展開し始める（図１４の鎖線参照）。
【００４５】
浸水防止用袋体１は、あらゆる方向に膨張展開を始めるが、建物の開口部５を構成している側壁６（６Ａ，６Ｂ，６Ｃ）、階段部７に対して圧接状態となり、また押さえシート部材３Ａや押さえシート部材３Ｂにより、開口部上方や通路内への膨張展開が規制される（図１４参照）。
【００４６】
【第４の実施の形態】
この実施の形態においては、浸水防止用袋体１は埋め込み状態の収納部４に収納されていなく、保持具９、例えば紐体によって折り畳み状態が維持されているものである。
図１５は、地下空間への開口部にある階段部の対壁に設置された止水装置を示す概略図であり、（Ａ）は正面図、（Ｂ）は側面図を示す。
そのため、非常時には、この保持具を外すことにより、この折畳み状態から開放され浸水防止用袋体は膨張展開が可能な待機状態となる。
後は、上述した第１の実施の形態と同じような止水装置の作動により、浸水防止用袋体１の膨張展開が行われる。
【００４７】
以上、本発明を説明したが、本発明は、上述した実施の形態に限られるものではなく、その目的に則したものであれば種々の変形が可能である。
エアー吹き込み手段２は、ブロアーや注入ボンベの他に空気等を浸水防止袋体１に吹き込むことができる装置であれば種々のものが採用される。
押さえシート部材３は、シート状ではなくても、ベルト状であってもよく、要は浸水防止袋体１の膨出を防止できるものであればよい。
また、その設置位置は浸水防止用袋体１と同様に収納部４の中に収納する構造としてもよい。
建物の開口部５は、実施の形態の地下鉄だけではなく、地下鉄，　地下駐車場，　地下街等の種々の場所ものに適用可能である。
浸水防止袋体１の折り畳み状態は、体積が小さくなる方法であれば、種々の規則的な折り畳みやランダムな折り畳みが採用される。
【００４８】
【発明の効果】
本発明の止水装置は、簡単な構造であるために設置が容易であり、また、建物の開口部の当接面の形状に制約を受け難く汎用性に富む。
また、袋状であるために折り畳んで小さくすることができ、装置全体が小型化される。
また、装置が簡単な構造であるためにコスト的にも安く経済的である。
また止水方法も膨張可能な袋を使った簡単な原理であるために方法的に見て、上記と同様な利点を持つ。
【図面の簡単な説明】
【図１】図１は、本発明の第１の実施形態における止水装置を示す概略図であり、（Ａ）は正面図、（Ｂ）は側面図を示す。
【図２】図２は、地下鉄への入り口の開口部を示す図である。
【図３】図３は、図２の開口部を上方から見た図である。
【図４】図４は、浸水防止用袋体が膨張展開する前に開口部に押さえシート部材を張架した状態を示す図である。
【図５】図５は、止水装置を作動する前の初期状態を示す図である。
【図６】図６は、浸水防止用袋体が膨張展開する前に開口部及び通路口に押さえシート部材を張架した状態を示す図である。
【図７】図７は、この浸水防止用袋体内にエアーを吹き込んで膨張した状態を示す図である。
【図８】図８は、第２の実施の形態における止水装置を作動する前の初期状態を示す図である。
【図９】図９は、浸水防止用袋体が膨張展開する前に通路口に押さえシート部材を張架した状態を示す図である。
【図１０】図１０は、この浸水防止用袋体内にエアーを吹き込んで膨張した状態を示す図である。
【図１１】図１１は、この水圧が加わった状態を示す図である。
【図１２】図１２は、第３の実施の形態における止水装置を作動する前の初期状態を示す図である。
【図１３】図１３は、浸水防止用袋体が膨張展開する前に開口部及び通路口に押さえシート部材を張架した状態を示す図である。
【図１４】図１４は、この浸水防止用袋体内にエアーを吹き込んで膨張した状態を示す図である。
【図１５】図１５は、本発明の第４の実施形態における止水装置を示す概略図であり、（Ａ）は正面図、（Ｂ）は側面図を示す。
【図１６】図１６は、旧来法である土嚢た浸水防止用袋体を膨張展開する前の状態を断面図で概略的に示す。
【符号の説明】
１…浸水防止用袋体
２…エアー吹き込み手段
３…押さえシート部材
３Ａ…押さえシート部材
３Ｂ…押さえシート部材
４…収納部
４１…収納蓋
５…開口部
６…側壁
６Ａ…側壁
６Ｂ…側壁
６Ｃ…側壁
７…階段部
８…床部
９…保持具
１Ａ…フック
３１Ｂ…フック
３２Ａ…埋め込みアンカー
３２Ｂ１…埋め込みアンカー
３２Ｂ２…埋め込みアンカー
１００…土嚢
【図１】
2004060348.tif 000003
【図２】
2004060348.tif 000004
【図３】
2004060348.tif 000005
【図４】
2004060348.tif 000006
【図５】
2004060348.tif 000007
【図６】
2004060348.tif 000008
【図７】
2004060348.tif 000009
【図８】
2004060348.tif 000010
【図９】
2004060348.tif 000011
【図１０】
2004060348.tif 000012
【図１１】
2004060348.tif 000013
【図１２】
2004060348.tif 000014
【図１３】
2004060348.tif 000015
【図１４】
2004060348.tif 000016
【図１５】
2004060348.tif 000017
【図１６】
2004060348.tif 000018